(57)【要約】【課題】ランプ及び光学素子を容易に交換できることを可能にしたプロジェクタを提供すること。【解決手段】光源と、該光源からの光が入射する照明光学系と、該照明光学系からの光によって照明される液晶表示素子を備えた色分解合成光学系と、該色分解合成光学系からの光を被投写面に投写する投写光学系と、前記照明光学系及び該色分解合成光学系を収納する筐体とを備えたプロジェクタにおいて、前記光源と前記照明光学系の一部である光学素子とが同一方向から交換可能であることを特徴とする。【選択図】図７
2018013661.tif 000002
【特許請求の範囲】
【請求項１】
光源と、
該光源からの光が入射する照明光学系と、 
該照明光学系からの光によって照明される液晶表示素子を備えた色分解合成光学系と、
該色分解合成光学系からの光を被投写面に投写する投写光学系と、
前記照明光学系及び該色分解合成光学系を収納する筐体とを備えたプロジェクタにおいて、
前記光源と前記照明光学系の一部である光学素子とが同一方向から交換可能であることを特徴とするプロジェクタ。
【請求項２】
前記筐体の一部であるカバー部材を有し、前記カバー部材は前記筐体に対し移動でき、
前期カバー部材が移動されると、前記光源と前記光学素子が露出することを特徴とする請求項１に記載のプロジェクタ。
【請求項３】
前記光源と前記光学素子の両方を保持する保持手段を有することを特徴とする請求項１又は請求項２に記載のプロジェクタ。
【請求項４】
非交換用の光学素子は前記筐体側に設けられていることを特徴とする請求項１乃至請求項３の何れか一項に記載のプロジェクタ。
【発明の詳細な説明】
【技術分野】
【０００１】
本発明は、プロジェクタに関し、特にランプと光学素子の交換に関する。
【背景技術】
【０００２】
従来、プロジェクタの光学系には、偏光板や光学補償板等の光学素子が用いられている。これらの光学素子は、長期使用した場合、劣化により交換する必要が生じる。
【０００３】
交換には通常、本体ケースを開けて部品交換をする必要があるため、本体ケース上面にメンテナンス用開口を形成して開閉可能なカバーを設けることで、本体ケースを開けなくともカバーを開けるだけで、部品交換を可能とする技術が特許文献１に開示されている。
【先行技術文献】
【特許文献】
【０００４】
【特許文献１】特開２００８−５８６７４号公報
【発明の概要】
【発明が解決しようとする課題】
【０００５】
しかしながら、上述の特許文献１に開示された従来技術では、光学素子の交換のみしか言及していない。光学素子以外にも、プロジェクタは光源となるランプも長期使用した場合に劣化が生じるため、光学素子同様、ランプを交換する必要があるが、上述の特許では、ランプと光学素子はアクセスする箇所が異なる。そのため、天吊り状態等の環境でランプ及び光学素子を交換する際に、ユーザーに煩雑さを感じさせる恐れがある。
【０００６】
そこで、本発明では、ランプ及び光学素子を容易に交換できることを可能にしたプロジェクタを提供することにある。
【課題を解決するための手段】
【０００７】
上記の目的を達成するために、本発明に係るプロジェクタは、
光源と、該光源からの光が入射する照明光学系と、該照明光学系からの光によって照明される液晶表示素子を備えた色分解合成光学系と、該色分解合成光学系からの光を被投写面に投写する投写光学系と、前記照明光学系及び該色分解合成光学系を収納する筐体とを備えたプロジェクタにおいて、前記光源と前記照明光学系の一部である光学素子とが同一方向から交換可能であることを特徴とする。
【発明の効果】
【０００８】
本発明によれば、交換部品であるランプおよび光学素子を容易に交換できるプロジェクタを提供することができる。
【図面の簡単な説明】
【０００９】
【図１】本発明の第１の実施形態におけるプロジェクタの内部を示す図
【図２】本発明の第１の実施形態におけるプロジェクタの光学構成を示す平面図及び側面図
【図３】本発明の第１の実施形態におけるプロジェクタの外観の斜視図
【図４】本発明の第１の実施形態におけるプロジェクタのランプユニットの斜視図
【図５】本発明の第１の実施形態におけるプロジェクタの偏光変換素子ユニットの斜視図
【図６】本発明の第１の実施形態におけるプロジェクタのランプユニットと偏光変換素子ユニットを装着する前のランプカバーを開けた状態の斜視図
【図７】本発明の第１の実施形態におけるプロジェクタのランプユニットと偏光変換素子ユニットを装着した後のランプカバーを開けた状態の斜視図
【図８】本発明の第２の実施形態におけるプロジェクタのランプと偏光変換素子の両方を保持するユニットの斜視図
【発明を実施するための形態】
【００１０】
以下に、本発明の好ましい実施の形態を、添付の図面に基づいて詳細に説明する。
【００１１】
［実施例１］
図１は本発明の第１の実施形態におけるプロジェクタの内部を示す図である。
【００１２】
１は光源であるランプ、２は不図示の複数のバネ部材にてランプ１および後述する防爆凸レンズ３を保持するランプホルダ、３はランプ１からの光を集光する機能を備えた防爆凸レンズ、４はランプ１およびランプホルダ２および防爆凸レンズ３および不図示の複数の部材によって構成されるランプユニットである。
【００１３】
αはランプ１からの光を入射する照明光学系、βは照明光学系からの出射光を入射するＲ・Ｇ・Ｂの３色用の液晶パネルを備えた色分離合成光学系、５は色分離合成光学系βからの出射光を入射して図示せぬスクリーン（被投射面）に画像を投射する投射レンズユニットであり、投射レンズユニット５内には後述する投射レンズ光学系を収納している。６はランプユニット４、照明光学系α、色分離合成光学系βを収納するとともに投射レンズユニット５が固定される光学ボックスである。
【００１４】
７は電源であり、電源７には不図示のＡＣインレットを有し後述する外装上ケース１７に組み込まれ電源７に電気的に接続され筺体内に電源が供給される。８はバラストであり、ランプ１を点灯するための点灯電源装置であり、バラスト８は電源７およびランプ１と電気的に接続される。
【００１５】
９は後述する外装上ケース１７に設けられた吸気口１７ａから外気を吸入した空気の排気にて色分離合成系βの光学素子を冷却する光学冷却ファンＡ、１０は後述する外装上ケース１７に設けられた吸気口１７ａから外気を吸入した空気の排気にて色分離合成系βの光学素子を冷却する光学冷却ファンＢである。１１は光学冷却ファンＡ９と光学冷却ファンＢ１０を保持し、後述する吸気口１７ａから外気を吸入し、光学冷却ファンＡ９と光学冷却ファンＢ１０の吸気口に導風する光学冷却ファン吸気ダクト、１３は排気ファンであり、排気ファン１３の吸気する空気によって電源８、バラスト９を冷却し、排気によってランプ１およびその周辺を冷却し後述する排気口１７ｂより筐体外へ排熱する。１４は排気ファン１３を保持する排気ファンホルダである。
【００１６】
１５はランプ冷却ファンであり、ランプ冷却ファン１５は色分離合成系βの光学素子を冷却した空気を吸気し、排気によってランプ１を冷却する。１６はランプ冷却ファン１５から排気された空気を導風するランプ冷却ダクトである。１７は外装上ケースであり、筐体内に外気を取り込む前面吸気口１７ａと側面吸気口１７ｂおよび筐体外に排熱する排気口１７ｃを備える。１８は吸気口１７ａに近接して取り付き筐体内へ外気を吸入する際に筐体内に塵埃が入ることを抑制するエアフィルタである。
【００１７】
１９は画像・制御等の各種信号を取り込むコネクタ（インターフェース）が搭載され、前述した電源７からの電力により液晶パネルの駆動、及びランプ１への点灯指令、複数のファンへの駆動指令を送ることを主とする駆動・制御基板ユニットであり、駆動・制御基板ユニット１９は色分離合成光学系βに配置される液晶パネルから出るＦＰＣが接続される。
【００１８】
２０は側面吸気口１８ｂから吸気した後、排気によって後述する偏光変換素子４５を冷却する偏光変換素子冷却ファンであり、また、偏光変換素子冷却ファン２０はシロッコファンである。２１は偏光変換素子冷却ファン２０から排気された空気を導風する偏光変換素子冷却ダクトである。
【００１９】
（光学構成）
次に、前述したランプ１、照明光学系α、色分解合成光学系β及び投射レンズ鏡筒（投射光学系）５により構成される光学系の構成について図２を用いて説明する。
【００２０】
図２において、（Ａ）は光学系の水平断面を、（Ｂ）は垂直断面をそれぞれ示す。同図において、４１は連続スペクトルで白色光を発光する放電発光管（以下、単に発光管という）である。４２は発光管４１からの光を所定の方向に集光する凹面鏡を有するリフレクタである。発光管４１とリフレクタ４２により光源ランプ１が構成される。
【００２１】
４３ａは図２（Ａ）に示す水平方向において屈折力を有するシリンドリカルレンズセルを複数配列した第１シリンダアレイである。４３ｂは第１シリンダアレイ４３ａの個々のレンズセルに対応したシリンドリカルレンズセルを複数有する第２シリンダアレイである。４４は紫外線吸収フィルタ、４５は無偏光光を所定の偏光光に変換する偏光変換素子である。４６は図２（Ｂ）に示す垂直方向において屈折力を有するシリンドリカルレンズで構成されたフロントコンプレッサである。４７はランプ１からの光軸を、ほぼ９０度（より詳しくは８８度）折り曲げるための反射ミラーである。
【００２２】
４３ｃは垂直方向において屈折力を有するシリンドリカルレンズセルを複数配列した第３シリンダアレイである。４３ｄは第３シリンダアレイ４３ｃの個々のレンズセルに対応したシリンドリカルレンズアレイを複数有する第４シリンダアレイである。５０は色座標を所定値に調整するために特定波長域の色をランプ１に戻すためのカラーフィルタである。４８はコンデンサーレンズである。４９は垂直方向において屈折力を有するシリンドリカルレンズで構成されたリアコンプレッサである。以上により、照明光学系αが構成される。
【００２３】
５８は青（Ｂ：例えば４３０〜４９５ｎｍ）と赤（Ｒ：例えば５９０〜６５０ｎｍ）の波長領域の光を反射し、緑（Ｇ：例えば５０５〜５８０ｎｍ）の波長領域の光を透過するダイクロイックミラーである。５９は透明基板に偏光素子を貼り付けたＧ用の入射側偏光板であり、Ｐ偏光光のみを透過する。６０は多層膜により構成された偏光分離面においてＰ偏光光を透過し、Ｓ偏光光を反射する第１偏光ビームスプリッタである。
【００２４】
６１Ｒ，６１Ｇ，６１Ｂはそれぞれ、入射した光を反射するとともに画像変調する光変調素子（若しくは画像形成素子）としての赤用反射型液晶パネル、緑用反射型液晶パネル及び青用反射型液晶パネルである。６２Ｒ，６２Ｇ，６２Ｂはそれぞれ、赤用１／４波長板、緑用１／４波長板及び青用１／４波長板である。
【００２５】
６４ａはＲ光の色純度を高めるためにオレンジ光をランプ１に戻すトリミングフィルタである。６４ｂは透明基板に偏光素子を貼り付けたＲＢ用入射側偏光板であり、Ｐ偏光のみを透過する。６５はＲ光の偏光方向を９０度変換し、Ｂ光の偏光方向は変換しない色選択性位相差板である。６６は偏光分離面においてＰ偏光を透過し、Ｓ偏光を反射する第２偏光ビームスプリッタである。６８ＢはＢ用射出側偏光板（偏光素子）であり、Ｂ光のうちＳ偏光成分のみを整流する。６８ＧはＧ光のうちＳ偏光成分のみを透過させるＧ用出側偏光板である。６９はＲ光及びＢ光を透過し、Ｇ光を反射するダイクロイックプリズムである。
【００２６】
以上のダイクロイックミラー５８〜ダイクロイックプリズム６９により、色分解合成光学系βが構成される。
【００２７】
本実施例において、偏光変換素子４５はＰ偏光をＳ偏光に変換するが、ここでいうＰ偏光とＳ偏光は、偏光変換素子４５における光の偏光方向を基準として述べている。一方、ダイクロイックミラー５８に入射する光は、第１及び第２偏光ビームスプリッタ６０，６６での偏光方向を基準として考え、Ｐ偏光光であるとする。すなわち、本実施例では、偏光変換素子４５から射出された光をＳ偏光光とするが、同じＳ偏光光をダイクロイックミラー５８に入射する場合はＰ偏光光として定義する。
【００２８】
（光学的作用）
次に、光学的な作用を説明する。発光管４１から発した光はリフレクタ４２により所定の方向に集光される。リフレクタ４２は放物面形状の凹面鏡を有し、放物面の焦点位置からの光は該放物面の対称軸に平行な光束となる。但し、発光管４１からの光源は理想的な点光源ではなく、有限の大きさを有しているので、集光する光束には放物面の対称軸に平行でない光の成分も多く含まれている。これらの光束は、第１シリンダアレイ４３ａに入射する。第１シリンダアレイ４３ａに入射した光束は、シリンダレンズセルの数に応じた複数の光束に分割されて集光され、垂直方向に並ぶ帯状の複数の光束となる。
【００２９】
そして、これら複数の分割光束は、紫外線吸収フィルタ４４及び第２シリンダアレイ４３ｂを経て、複数の光源像を偏光変換素子４５の近傍に形成する。偏光変換素子４５は、偏光分離面と反射面と１／２波長板とを有する。複数の光束は、それぞれの列に対応した偏光分離面に入射し、これを透過するＰ偏光成分とここで反射するＳ偏光成分とに分割される。反射されたＳ偏光成分は反射面で反射し、Ｐ偏光成分と同じ方向に射出する。一方、偏光分離面を透過したＰ偏光成分は、１／２波長板を透過してＳ偏光成分と同じ偏光成分に変換される。こうして、同じ偏光方向を有する複数の光束が射出する。
【００３０】
偏光変換された複数の光束は、偏光変換素子４５から射出した後、フロントコンプレッサ４６で圧縮され、反射ミラー４７によって８８度反射され、第３シリンダアレイ４３ｃに入射する。第３シリンダアレイ４３ｃに入射した光束は、シリンダレンズセルの数に応じた複数の光束に分割されて集光され、水平方向に並ぶ帯状の複数の光束となる。該複数の分割光束は、第４シリンダアレイ４３ｄ及びコンデンサーレンズ４８を介してリアコンプレッサ４９に入射する。
【００３１】
フロントコンプレッサ４６、コンデンサーレンズ４８及びリアコンプレッサ４９の光学作用によって、複数の光束によって形成される矩形像は互いに重なり合い、矩形の均一な明るさの照明エリアを形成する。この照明エリアに、反射型液晶パネル６１Ｒ，６１Ｇ，６１Ｂが配置される。
【００３２】
偏光変換素子４５によってＳ偏光とされた光は、ダイクロイックミラー５８に入射する以下、ダイクロイックミラー５８を透過したＧ光の光路について説明する。ダイクロイックミラー５８を透過したＧ光は、入射側偏光板５９に入射する。Ｇ光はダイクロイックミラー５８によって分解された後もＰ偏光（偏光変換素子４５を基準とする場合はＳ偏光）となっている。そして、Ｇ光は入射側偏光板５９から射出した後、第１偏光ビームスプリッタ６０に対してＰ偏光として入射し、その偏光分離面を透過してＧ用反射型液晶パネル６１Ｇへと至る。
【００３３】
ここで、該プロジェクタのＩＦ基板２５には、パーソナルコンピュータ、ＤＶＤプレーヤ、テレビチューナ等の画像供給装置８０が接続されている。制御基板１１は、画像供給装置８０から入力された画像情報に基づいて反射型液晶パネル６１Ｒ，６１Ｇ，６１Ｂを駆動し、これらに各色用の原画を形成させる。これにより、各反射型液晶パネルに入射した光は、反射されるとともに原画に応じて変調（画像変調）される。画像供給装置８０とプロジェクタとにより画像表示システムが構成される。
【００３４】
Ｇ用反射型液晶パネル６１Ｇにおいては、Ｇ光が画像変調されて反射される。画像変調されたＧ光のうちＰ偏光成分は、再び第１偏光ビームスプリッタ６０の偏光分離面を透過して光源側に戻され、投射光から除去される。一方、画像変調されたＧ光のうちＳ偏光成分は、第１偏光ビームスプリッタ６０の偏光分離面で反射され、投射光としてダイクロイックプリズム６９に向かう。
【００３５】
このとき、すべての偏光成分をＰ偏光に変換した状態（黒を表示した状態）において、第１偏光ビームスプリッタ６０とＧ用反射型液晶パネル６１Ｇとの間に設けられた１／４波長板６２Ｇの遅相軸を所定の方向に調整する。これにより、第１偏光ビームスプリッタ６０とＧ用反射型液晶パネル６１Ｇで発生する偏光状態の乱れの影響を小さく抑えることができる。
【００３６】
第１偏光ビームスプリッタ６０から射出したＧ光は、ダイクロイックプリズム６９に対してＳ偏光として入射し、該ダイクロイックプリズム６９のダイクロイック膜面で反射して投射レンズ鏡筒５へと至る。
【００３７】
一方、ダイクロイックミラー５８で反射したＲ光とＢ光は、トリミングフィルタ６４aに入射する。Ｒ光とＢ光はダイクロイックミラー５８によって分解された後もＰ偏光となっている。そして、Ｒ光とＢ光は、トリミングフィルタ６４aでオレンジ光成分がカットされた後、入射側偏光板６４ｂを透過し、色選択性位相差板６５に入射する。
【００３８】
色選択性位相差板６５は、Ｒ光の偏光方向のみを９０度回転させる作用を有し、これによりＲ光はＳ偏光として、Ｂ光はＰ偏光として第２偏光ビームスプリッタ６６に入射する。Ｓ偏光として第２偏光ビームスプリッタ６６に入射したＲ光は、該第２偏光ビームスプリッタ６６の偏光分離面で反射され、Ｒ用反射型液晶パネル６１Ｒへと至る。また、Ｐ偏光として第２偏光ビームスプリッタ６６に入射したＢ光は、該第２偏光ビームスプリッタ６６の偏光分離面を透過してＢ用反射型液晶パネル６１Ｂへと至る。
【００３９】
Ｒ用反射型液晶パネル６１Ｒに入射したＲ光は、画像変調されて反射される。画像変調されたＲ光のうちＳ偏光成分は、再び第２偏光ビームスプリッタ６６の偏光分離面で反射されて光源側に戻され、投射光から除去される。一方、画像変調されたＲ光のうちＰ偏光成分は、第２偏光ビームスプリッタ６６の偏光分離面を透過して、投射光としてダイクロイックプリズム６９に向かう。
【００４０】
また、Ｂ用反射型液晶パネル６１Ｂに入射したＢ光は、画像変調されて反射される。画像変調されたＢ光のうちＰ偏光成分は、再び第２偏光ビームスプリッタ６６の偏光分離面を透過して光源側に戻され、投射光から除去される。一方、画像変調されたＢ光のうちＳ偏光成分は、第２偏光ビームスプリッタ６６の偏光分離面で反射して、投射光としてダイクロイックプリズム６９に向かう。
【００４１】
このとき、第２偏光ビームスプリッタ６６とＲ用，Ｂ用反射型液晶パネル６１Ｒ，６１Ｂとの間に設けられた１／４波長板６２Ｒ，６２Ｂの遅相軸を調整することにより、Ｇ光の場合と同じように、Ｒ，Ｂ光それぞれの黒表示状態での調整を行うことができる。
【００４２】
こうして１つの光束に合成されて第２偏光ビームスプリッタ６６から射出したＲ光とＢ光は、射出側偏光板６８Ｂで検光されてダイクロイックプリズム６９に入射する。また、Ｒ光はＰ偏光のまま射出側偏光板６８Ｂを透過して、ダイクロイックプリズム６９に入射する。
【００４３】
射出側偏光板６８Ｂで検光されることにより、Ｂ光は、該Ｂ光が第２偏光ビームスプリッタ６６、Ｂ用反射型液晶パネル６１Ｂ及び１／４波長板６２Ｂを通ることによって生じた無効な成分がカットされた光となる。そして、ダイクロイックプリズム６９に入射したＲ光とＢ光は、ダイクロイック膜面を透過して、該ダイクロイック膜面にて反射したＧ光と合成されて投射レンズ５に至る。
【００４４】
そして、合成されたＲ，Ｇ，Ｂ光は、投射レンズ５によってスクリーンなどの被投射面に拡大投影される。
【００４５】
以上説明した光路は、反射型液晶パネルが白表示状態の場合である。
【００４６】
以下では、反射型液晶パネルが黒表示状態の場合での光路について説明する。
【００４７】
まず、Ｇ光の光路について説明する。ダイクロイックミラー５８を透過したＧ光のＰ偏光光は、入射側偏光板５９に入射し、その後第１偏光ビームスプリッタ６０に入射してその偏光分離面で透過され、Ｇ用反射型液晶パネル６１Ｇへと至る。しかし、反射型液晶パネル６１Ｇが黒表示状態であるため、Ｇ光は画像変調されずに反射される。このため、Ｇ用反射型液晶パネル６１Ｇで反射された後も、Ｇ光はＰ偏光光のままである。したがって、Ｇ光は再び第１偏光ビームスプリッタ６０の偏光分離面を透過し、入射側偏光板５９を透過して光源側に戻され、投射光から除去される。
【００４８】
次に、Ｒ光とＢ光の光路について説明する。ダイクロイックミラー５８で反射したＲ光とＢ光のＰ偏光光は、入射側偏光板６４ｂに入射する。そして、入射側偏光板６４ｂから射出した後、色選択性位相差板６５に入射する。色選択性位相差板６５は、Ｒ光の偏光方向のみを９０度回転する作用を持つため、Ｒ光はＳ偏光として、Ｂ光はＰ偏光として第２偏光ビームスプリッタ６６に入射する。
【００４９】
Ｓ偏光として第２偏光ビームスプリッタ６６に入射したＲ光は、その偏光分離面で反射され、Ｒ用反射型液晶パネル６１Ｒへと至る。また、Ｐ偏光として第２偏光ビームスプリッタ６６に入射したＢ光は、その偏光分離面を透過してＢ用反射型液晶パネル６１Ｂへと至る。
【００５０】
ここで、Ｒ用反射型液晶パネル６１Ｒは黒表示状態であるため、Ｒ用反射型液晶パネル６１Ｒに入射したＲ光は画像変調されないまま反射される。このため、Ｒ用反射型液晶パネル６１Ｒで反射された後も、Ｒ光はＳ偏光光のままである。したがって、Ｒ光は再び第２偏光ビームスプリッタ６６の偏光分離面で反射し、入射側偏光板６４ｂを通過して光源側に戻され、投射光から除去される。これにより、黒表示がなされる。
【００５１】
一方、Ｂ用反射型液晶パネル６１Ｂに入射したＢ光は、Ｂ用反射型液晶パネル６１Ｂが黒表示状態であるため、画像変調されないまま反射される。このため、Ｂ用反射型液晶パネル６１Ｂで反射された後も、Ｂ光はＰ偏光光のままである。したがって、Ｂ光は再び第２偏光ビームスプリッタ６６の偏光分離面を透過し、色選択性位相差板６５によりＰ偏光に変換され、入射側偏光板６４ｂを透過して、光源側に戻され、投射光から除去される。
【００５２】
図３は本発明の第1の実施形態におけるプロジェクタの外観の斜視図である。
【００５３】
１０１はプロジェクタ筐体の一部となる外装下ケースである。外装上ケース１７と外装下ケースが組み合わされることで、内部が保護される構造となっている。１０２はランプ１と偏光変換素子４５を覆い隠すためのカバーである。カバー１０２は筐体後方側にスライドさせた後に筐体天面側に回転させることで開く構造となっている。
【００５４】
図４は本発明の第１の実施形態におけるプロジェクタのランプユニットの斜視図である。
【００５５】
４ａはランプを保持している部分である。４ｂはユーザーが交換する際につまむための取っ手である。４ｃは後述する光学ボックス６のボス６ａに対して位置決めされるための丸穴である。一方、４ｄは後述する光学ボックス６のボス６ａに対して位置決めされるための長穴である。４ｅは後述する光学ボックス６のネジ穴６ｂに対して噛み合わせるためのビスである。ビス４ｅは光学ボックス６から取り外された際に、ランプユニット４から脱落しないように、不図示の薄いナットが取り付けられている。
【００５６】
図５は本発明の第１の実施形態におけるプロジェクタの偏光変換素子ユニットの斜視図である。
【００５７】
１０３は偏光変換素子ユニットである。１０３ａは偏光変換素子を接着剤にて固定しているリブである。１０３ｂはユーザーが交換する際につまむための取っ手である。１０３ｃは後述する光学ボックス６のボス６ｃに対して位置決めされるための丸穴である。一方、１０３ｄは後述する光学ボックス６のボス６ｃに対して位置決めされるための長穴である。１０３ｅは後述する光学ボックス６のネジ穴６ｄに対して噛み合わせるためのビスである。ビス４ｅは光学ボックス６から取り外された際に、ランプユニット４から脱落しないように、不図示の薄いナットが取り付けられている。
【００５８】
図６は本発明の第１の実施形態におけるプロジェクタのランプユニットと偏光変換素子ユニットを装着する前のカバーを開けた状態の斜視図である。
【００５９】
１０４は光学ボックスに搭載された照明光学系α、色分解合成系βを覆い隠すために設けられた光学ボックスカバーである。６ａはランプユニット４及び偏光変換素子ユニット１０３の位置を決めるためのボスである。６ｂはランプユニットを装着した後にランプユニット４のビス４ｅ及び偏光変換素子ユニット１０３のビス４ｅで固定するためのネジ穴である。
【００６０】
図７は本発明の第１の実施形態におけるプロジェクタのランプユニットと偏光変換素子ユニットを装着した後のカバーを開けた状態の斜視図である。
【００６１】
ランプユニット４の丸穴４ｃ及び長穴４ｄが光学ボックス６ａに対して挿通されている。また、ランプユニットのビス４ｅが光学ボックス６のネジ穴６ｄに対して噛み合って締結されるため、光学ボックス６に対して固定されている。一方、偏光変換素子ユニット１０３の丸穴１０３ｃ及び長穴１０３ｄが光学ボックス６ａに対して挿通されている。また、偏光変換素子ユニットのビス１０３ｅが光学ボックス６のネジ穴６ａに対して噛み合って締結されるため、光学ボックス６に対して固定されている。
【００６２】
このように、カバーを開けると同時に、ランプと偏光変換素子ユニットが露出すると、交換部品のアクセス箇所が一ヶ所に集約されるため、交換が容易になる。すなわち、メンテナンス性がアップすることから、ユーザーに煩わしさを感じさせない。
【００６３】
［実施例２］
以下、図８により本発明の第２の実施形態について説明する。
【００６４】
図８は本発明の第２の実施形態におけるプロジェクタのランプと偏光変換素子の両方を保持するユニットの斜視図である。
【００６５】
１１１は交換ユニットである。１１１ａはランプを保持している部分である。１１１ｂは偏光変換素子を接着剤にて固定しているリブである。１１１ｃはユーザーが交換する際につまむための取っ手である。１１１ｄは光学ボックス６のボス６ａに対して位置を決めるための丸穴である。
【００６６】
一方、１１１ｅは光学ボックス６のボス６ａに対して位置を決めるための長穴である。１１１ｆは光学ボックス６のネジ穴６ｂに対して噛み合わせるためのビスである。ビス１１１ｆは光学ボックス６から取り外された際に、ユニット１１１から脱落しないように、不図示の薄いナットが取り付けられている。
【００６７】
このように、交換部品であるランプ及び光学素子を一つのユニット化にすることで、このユニットの取り出しで、ランプ及び光学素子を両方とも交換できるようになる。その結果、個々のユニットの交換よりもさらにメンテナンス性が上がる。
【００６８】
以上、本発明の好ましい実施形態について説明したが、本発明はこれらの実施形態に限定されず、その要旨の範囲内で種々の変形及び変更が可能である。
【符号の説明】
【００６９】
４  ランプユニット、４ｅ  ビス、６  光学ボックス、６ａ  ボス、
１７  外装上ケース、１７ｃ  排気口、１０２  カバー、
１０３  偏光変換素子ユニット、１０３ｂ  取っ手、１０３ｅ  ビス、
１０４  光学ボックスカバー
【図１】
2018013661.tif 000003
【図２】
2018013661.tif 000004
【図３】
2018013661.tif 000005
【図４】
2018013661.tif 000006
【図５】
2018013661.tif 000007
【図６】
2018013661.tif 000008
【図７】
2018013661.tif 000009
【図８】
2018013661.tif 000010